(57)【要約】【課題】複雑な形状にデザイン化されたティーバッグの製造方法の提供。【解決手段】所定形状の不織布を袋体状に折返し、折り返した不織布の端部の一部を圧着して貼り合わせて開口部２３を有する袋体２２を形成し、開口部２３から袋体に茶葉を収納して開口部を封止するティーバッグの製造方法１’において、所定形状の不織布を所定の物体の外形形状を切り開いた平面形状を有する切開形布１として形成し、切開形布１の外周端部（２ａ，３ａ）に突起部（６，７）を一体に設け、切開形布１の一部を切り裂いた切裂部（１２ａ，１２ｂ）を設け、切開形布１を折り返して形成した袋体２２の内側に突起部（１２ａ，１２ｂ）を折り返し、突起部（６、７）の先端を袋体２２の内側から切裂部（１２ａ，１２ｂ）に挿通させて袋体２２の外側に突出させた。【選択図】図２
2017226428.tif 000002
【特許請求の範囲】
【請求項１】
所定形状の不織布を袋体状に折返し、折り返した不織布の端部の一部を圧着して貼り合わせて開口部を有する袋体を形成し、開口部から袋体に茶葉を収納して開口部を封止するティーバッグの製造方法において、
前記所定形状の不織布を所定の物体の外形形状を切り開いた平面形状を有する切開形布として形成し、
前記切開形布の外周端部に突起部を一体に設け、
前記切開形布の一部を切り裂いた切裂部を設け、
前記切開形布を袋体状に折り返して形成した袋体の内側に前記突起部を折り返し、
前記突起部の先端部を袋体の内側から前記切裂部に挿通させて袋体の外側に突出させたことを特徴とする、ティーバッグの製造方法。
【請求項２】
前記切開形布を魚類または水生哺乳類の外形形状を切り開いた平面形状に形成し、前記突起部の先端部を前記魚類または水生哺乳類のひれ部として形成することを特徴とする請求項１に記載のティーバッグの製造方法。
【請求項３】
前記切開形布に折返し位置を示す折返部を形成することを特徴とする請求項１または２に記載のティーバッグの製造方法。
【請求項４】
前記折返部をミシン目として形成することを特徴とする請求項３に記載のティーバッグの製造方法。
【発明の詳細な説明】
【技術分野】
【０００１】
複雑な形状にデザイン化されたティーバッグの製造方法に関する発明。
【背景技術】
【０００２】
一般的なティーバッグは、矩形の平型形状や三角錐形状等の簡単な形状からなる袋体の内側に茶葉を充填して封止することによって形成され、ティーバッグは、暖められた湯の中に沈めて振られることによって茶を抽出する。特許文献１には、矩形で平型形状のティーバッグの片面の対角線の交点位置に吊り糸を設けて茶の抽出効率を向上させたティーバッグが開示されている。
【先行技術文献】
【特許文献】
【０００３】
【特許文献１】特開２００６−２１８１９号
【発明の概要】
【発明が解決しようとする課題】
【０００４】
近年のティーバッグは、特許文献１のティーバッグのように茶の抽出を行うことのみならず、茶葉を収納する袋体をイルカのような水生哺乳類や魚類等を模してデザイン化した形状に形成し、茶の抽出時に茶の中をこれらの水生生物等が泳いでいるように利用者に視認させて楽しませる目的で形成されることがある。
【０００５】
一方、イルカ等の水生哺乳類や魚類等を模したティーバッグには、これらの外形を表現するために袋体の外周面の任意の位置に胸びれ等の突起物を設けることが考えられる。別部材として形成した突起物を袋体の外周面に接着する場合、抽出された茶には、接着の態様と抽出時に加熱されることにより、突起物と袋体との接着部分から茶の中に有害物質が溶け出すおそれがある点で問題がある。
【０００６】
前記課題に鑑みて本願発明は、複雑な形状にデザイン化したティーバッグの製造にあたり、袋体に突起物を設けても有害物質を溶け出すことなく、任意の位置に前記突起物を容易に形成可能なティーバッグの製造方法を提供するものである。
【課題を解決するための手段】
【０００７】
まず、所定形状の不織布を袋体状に折返し、折り返した不織布の端部の一部を圧着して貼り合わせて開口部を有する袋体を形成し、開口部から袋体に茶葉を収納して開口部を封止するティーバッグの製造方法において、前記所定形状の不織布を所定の物体の外形形状を切り開いた平面形状を有する切開形布として形成し、前記切開形布の外周端部に突起部を一体に設け、前記切開形布の一部を切り裂いた切裂部を設け、前記切開形布を袋体状に折り返して形成した袋体の内側に前記突起部を折り返し、前記突起部の先端部を袋体の内側から前記切裂部に挿通させて袋体の外側に突出させるようにした。
【０００８】
（作用）袋体の外周端部に一体形成された突起部は、袋体の内側に折り返され、突起部の先端部は、切裂部から袋体の外に突出すると共に突起部の残部が袋体に充填された茶葉から内圧をうけて袋体の内周面に押し付けられることで袋体の切裂部の位置に固定される。
【０００９】
また、ティーバッグの製造方法において、切開形布を魚類または水生哺乳類の外形形状を切り開いた平面形状に形成し、前記突起部の先端部を前記魚類または水生哺乳類のひれ部として形成するようにした。
【００１０】
（作用）魚類または水生哺乳類を模したティーバッグの製造において、ひれの部分が胴体に相当する袋体の任意の位置に形成される。
【００１１】
また、ティーバッグの製造方法において、前記切開形布に折返し位置を示す折返部を形成するようにした。
【００１２】
（作用）切開形布を所定の折返部に沿って折り返すことにより、切開形布が所定の形状のティーバッグに形成される。
【００１３】
また、ティーバッグの製造方法において、前記折返部をミシン目として形成するようにした。
【００１４】
（作用）折返部の強度が下がることで切開形布が所定の位置で所定の形状に正確に折り返される。また、容器内の湯に沈められたティーバッグ内で茶葉から抽出されたお茶は、ミシン目からティーバッグの外の湯に流出する。
【発明の効果】
【００１５】
本願のティーバッグの製造方法によれば、袋体の外周端部から内側に折り返した突起部を任意の位置に形成した切裂部から外に突出させることにより、突起部を袋体の外周面の任意の位置に容易に形成出来る。また、突起部は、茶葉から袋体に作用する内圧によって固定されて接着剤等が不要になるため、茶を抽出する際に突起部の形成部位が加熱されても有害物質を茶の中に溶け出させるおそれがない。
【００１６】
本願のティーバッグの製造方法によれば、茶の抽出時に有害物質を茶の中に溶け出させるおそれのない、魚類または水生哺乳類を模した安全なティーバッグを容易に形成出来る。
【００１７】
本願のティーバッグの製造方法によれば、折返部の通りに切開形布を折り返すことにより、デザイン化されたティーバッグが所定の形状に正確にかつ容易に形成される
本願のティーバッグの製造方法によれば、ティーバッグが所定形状に形成され易くなり、かつティーバッグ内の茶葉からティーバッグを沈めた容器内の湯にお茶が抽出されやすくなる。
【図面の簡単な説明】
【００１８】
【図１】イルカ型のティーバッグの実施例に使用される切開形布を示す図。
【図２】切開形布の外周端部に形成した突起部を折り返してイルカの胸びれを形成する説明図。
【図３】切開形布を折り返して形成した、デザイン化されたティーバッグの完成図を示す斜視図。
【発明を実施するための形態】
【００１９】
以下、本発明の実施形態を図１から図３に基づいて説明する。各図においては、ティーバッグ及びティーバッグを製造するための切開形布の各方向を（上方：下方：左方：右方：前方：後方＝Ｕｐ：Ｌｏ：Ｌｅ：Ｒｉ：Ｆｒ：Ｒｅ）として説明する。
【００２０】
図１から図３によって第１実施例のティーバッグの製造方法を説明する。図１は、本願の実施例であるイルカ形状のティーバッグを形成するための切開形布１を示す。切開形布は、所定の物体を模した中空立体形状を切り開いてなる平面形状として形成したものであり、本実施例の切開形布１は、イルカを模した中空立体形状を切り開いて平面化した形状を有するように形成している。尚、切開形布の形状は、イルカ等の水生哺乳類、ジンベイザメ等の魚類等の水生生物を模した立体形状やその他の多種多様な物体を模した立体形状を切り開いた形状に形成されるようにし、ティーバッグは、切開形布の形状に基づいた袋体として形成される。
【００２１】
図１の切開形布１は、イルカの側面視形状を有する一対の本体部（２，３）、底部４、尾びれ５、及び一対の突起部（６，７）を一体形成した形状を有する。本体部（２，３）は、先端に設けられたイルカの口部（８ａ，８ｂ）と、口部後方に連続する前頭部（９ａ，９ｂ）と、前頭部の後方に連続する背びれ（１０ａ，１０ｂ）と、背びれに連続する尾柄部（１１ａ，１１ｂ）と、切裂部（１２ａ、１２ｂ）と、をそれぞれ有する。
【００２２】
図１の本体部（２，３）は、イルカの右側面及び左側面をそれぞれ形成し、底部４は、イルカの腹部を形成する。本体部（２，３）は、図１の底部４の上下に一体化される。底部４の中央で前後に伸びる中央線をＬ１とすると、一対の本体部（２，３）及び突起部（６，７）は、中央線Ｌ１に対して線対称となる形状を有する。本体部（２，３）と底部４との境界には、ミシン目として形成され、または破線等の線として描かれた一対の折返部（１３，１４）が設けられる。背びれ５は、本体部（２，３）及び底部４の後端部に一体に形成される。
【００２３】
図１の突起部（６、７）は、それぞれ突起部の先端部であるひれ部である胸びれ（６ａ，７ａ）と、連結部（６ｂ、７ｂ）とを有し、胸びれ（６ａ，７ａ）は、連結部（６ｂ、７ｂ）を介して本体部（２，３）の外周端部（２ａ，３ａ）にそれぞれ一体化される。本実施例の突起部（６、７）は、前頭部（９ａ，９ｂ）の外周から上下にそれぞれ突出するように形成される。本体部（２，３）は、折返部（１３，１４の近傍における胸びれを形成する位置にほぼ前後に切り裂かれた切裂部（１２ａ、１２ｂ）を有する。
【００２４】
次に図１から図３により、切開形布１を利用した本実施例におけるイルカ型ティーバッグ１’の製造方法を説明する。まず、図１に示される突起部（６、７）を図２に示されるようにそれぞれ三点鎖線で示される符号（１５、１６）の位置で図２の紙面裏側から表側に向けて折り返す。図２に示す本体部（２，３）の紙面表側の面は、それぞれティーバッグの内周面（２ａ，３ａ）として形成される。突起部（６、７）は、図２に示されるように内周面（２ｂ，３ｂ）に接触するまで折り返され、突起部（６、７）の先端の胸びれ（６ａ，７ａ）は、図２の紙面表側から裏側に向けて切裂部（１２ａ、１２ｂ）に挿入される。
【００２５】
次に本体部（２，３）をそれぞれ折返部（１３，１４）の位置で図２の紙面裏側から表側に折り返し、図３に示すように口部（８ａ，８ｂ）、前頭部（９ａ，９ｂ）、背びれ（１０ａ，１０ｂ）及び尾柄部（１１ａ，１１ｂ）の上端部をそれぞれ合わせる。その際、底部４の符号（１７，１８）の三点鎖線部分を紙面表側に凸となるように折り曲げることにより、口部（８ａ，８ｂ）を閉塞させ、更に合わせた背びれ（１０ａ，１０ｂ）の間には、図３に示すつまみ１９ａ付の吊りひも１９ｂを挟持させる（図２では省略）。尚、符号（１５〜１８）の三点鎖線で示される位置には、折返部を設けていないが、折返部（１３，１４）のようにミシン目または破線による折返部を設けてもよい。
【００２６】
その状態で図２の符号（２０、２１）に示される三点鎖線部分から本体部（２，３）の外周端部に至る範囲の一部を熱圧着することにより、内側に緑茶、ルイボスティー、ハーブティー、玄米茶、ウーロン茶、紅茶、昆布茶、麦茶等の茶葉を収容する袋体２２を形成する。具体的には、図２における符号Ａ１からＡ２の区間の外周部分及び符号Ｂ１からＢ２の区間の外周部分のみをそれぞれ熱圧着することによって図３に示すような袋体２２を形成し、かつ図３の袋体２２には、符号Ａ２からＡ３の区間の外周部分及び符号Ｂ２からＢ３の区間の外周部分を熱圧着しないことによって茶葉を挿入するための開口部２３を形成する。
【００２７】
その上で図３に示すように胸びれ（６ａ，７ａ）を下方から上方に折り返して水平に向けることにより、切裂部（１２ａ、１２ｂ）の位置にイルカの胸びれが形成される。
【００２８】
更に茶葉を開口部２３から袋体２２の内側に充填した上で図２における符号Ａ２からＡ３の区間の外周部分及び符号Ｂ２からＢ３の区間の外周部分を熱圧着して封止することにより、図３に示すようなイルカ型のティーバッグ１’が製造される。
【００２９】
本実施例のティーバッグ１’の製造方法によれば、突起部（６，７）を袋体２２の外周端部、つまり本体部（２，３）の外周端部（２ａ，３ａ）から内側に折り返し、突起部（６，７）の先端に形成された胸びれ（６ａ，７ａ）を袋体２２の切裂部（１２ａ、１２ｂ）から袋体２２の外に突出させることにより、胸びれ（６ａ，７ａ）を切裂部（１２ａ、１２ｂ）の位置に基づいた袋体２２の外周面の任意の位置に容易に形成出来る。
【００３０】
また、突起部（６，７）の胸びれ（６ａ，７ａ）は、袋体２２の内側に充填された茶葉の内圧を受けた連結部（６ｂ、７ｂ）が袋体２２の内周面（２ｂ、３ｂ）に押し付けられることにより、切裂部（１２ａ、１２ｂ）から袋体の内側に抜けないように固定される。このように本実施例においては、胸びれ（６ａ，７ａ）を切裂部（１２ａ、１２ｂ）に挿入することで袋体２２の外周面に位置決めし、袋体２２内に充填された茶葉の内圧によって袋体２２に抜け止め固定するため、突起部（６，７）である胸びれ（６ａ，７ａ）を袋体２２に固定する際に接着剤等の薬剤が不要になる。従って、本実施例の製造方法によれば、製造されたティーバッグ１’が茶を抽出する際に加熱されても有害物質を茶の中に溶け出させるおそれがなく、袋体２２に胸びれ（６ａ，７ａ）等の突起部（６、７）を形成することが出来る。
【００３１】
近年は、ティーバッグをイルカのような水生哺乳類や魚類等を模してデザイン化した形状に形成し、茶の抽出時に茶の中をこれらの水生生物等が泳いでいるように利用者に見せて楽しませる目的で形成されるものがある。従って本実施例のティーバッグの製造方法によれば、イルカ等を模した鑑賞用のティーバッグにひれ等の突起部を容易に出来ることで複雑な形状のティーバッグの形成が容易になり、更に湯に沈めても抽出の様子を楽しみながら安全にお茶を飲むことが出来る。
【００３２】
尚、図１及び図２に示される折返部（１３，１４）及び符号（１５〜１８）の三点鎖線で示される箇所に折返部を形成する場合、これら折返部には、破線よりもミシン目を形成することが望ましい。
【００３３】
そのようにした場合、切開形布１は、折返部の強度が下がることによって所定の位置で所定の形状に正確に折り返され、イルカの形状に容易に形成される。また、不織布の強度を上げてイルカの形状を形成する際の作業性を向上させたり、形成されたイルカの形状を保持するために不織布の強度を向上させる場合、ティーバッグ内の茶葉から抽出されたお茶が不織布を通過してティーバッグを沈めた容器内の湯に流出しにくくなるおそれがある。しかし、折返部をミシン目として形成した場合、ティーバッグ内で抽出されたお茶は、ミシン目を通って容器内の湯に流出するため、ミシン目として形成された折返部は、ティーバッグの不織布の強度を上げた場合でも茶の抽出性を向上させることが出来る。
【符号の説明】
【００３４】
１                  切開形布
１’                ティーバッグ
２ａ，３ａ          外周端部
６，７              突起部
６ａ，７ａ          ひれ部
１３，１４          折返部
２２                袋体
２３                開口部
【図１】
2017226428.tif 000003
【図２】
2017226428.tif 000004
【図３】
2017226428.tif 000005